(57)【特許請求の範囲】
【請求項１】
農産物を載置して搬送するためのバケットがコンベアチェーンの搬送方向に所定間隔を空けて複数配設され、搬送経路中で該バケットに載置されている農産物の重量を計測するための重量計測手段を備える農産物計量装置であって、
前記バケットが、農産物が載置される受皿と、該受皿の下部に所定間隔を空けて相対する状態で固着され、該受皿と共に搬送方向に対して垂直方向に上下動する一対の受皿取付部材と、該一対の受皿取付部材が各々備える開口部同士に挿通され、前記コンベアチェーンに固着される係合部材とを含んで構成され、
前記開口部の少なくとも上側が略八の字形状に形成されると共に、前記係合部材の上側も略八の字形状をなすように構成され、
前記開口部の上側と前記係合部材の上側を係合させた状態で前記コンベアチェーンを間欠駆動し、前記バケットが停止中に、前記開口部と前記係合部材との係合状態を解除することにより、前記農産物が載置された前記受皿及び前記一対の受皿取付部材の重量を前記重量計測手段によって計測することを特徴とする農産物計量装置。
【請求項２】
前記開口部の下側も略八の字形状に形成されると共に、前記係合部材の下側も、前記開口部の下側に係合するように略八の字形状をなすように構成されていることを特徴とする請求項１に記載の農産物計量装置。
【請求項３】
一方の前記受皿取付部材の下端両側に各々突起を備え、他方の前記受皿取付部材の下端中心部に一の突起を備えることを特徴とする請求項１または請求項２に記載の農産物計量装置。
【請求項４】
搬送方向における前記重量計測手段の下流側に前記農産物を結束するための結束機及び／又は前記農産物の一部を切断するための切断機が設けられていることを特徴とする請求項１から請求項３の何れかに記載の農産物計量装置。
【発明の詳細な説明】
【技術分野】
【０００１】
本発明は、農産物の搬送経路中において連続的に計量作業を可能とした農産物計量装置に関する。
【背景技術】
【０００２】
農産物を出荷するに当たっては、農産物の種類に応じた種々の選別作業が行われた後、所定の出荷単位に箱詰めや袋詰めがなされて出荷される。中でも、韮や葱などの長尺野菜を出荷するに当たっては、収穫時に根元部に付着している泥、傷みや虫喰いにより商品として出荷できない不用葉などを除去し、所定の出荷重量で束ねられて出荷するという出荷形態が一般的である。
【０００３】
従来、これらの長尺野菜を含む農産物の重量計測手段として、農産物選別装置に係る搬送経路中に計量装置を備えるものや、搬送中に農産物の重量計測を可能としたバケットなどが種々開示されている（例えば、特許文献１乃至特許文献３参照。）。
【０００４】
特許文献１に開示された農産物選別装置に係る重量計測手段は、搬送コンベアの搬送経路途中に割り込ませる形で設けられる短尺のベルトコンベアとロードセルとから構成されている。農産物を載置した搬送皿が当該ベルトコンベア上に移載された段階でロードセルによって農産物と搬送皿の総重量が計測され、予め計測しておいた搬送皿の重量を差し引くことで農産物の重量を把握するものである。
【０００５】
また、特許文献２や特許文献３に開示された農産物選別装置に係るバケットによると、バケット自体が搬送コンベアに係るコンベアチェーンに取付部材を介して遊嵌状態で取り付けられている。そして、搬送経路中に設けられた重量計測手段を通過時に、農産物が載置されたバケットとコンベアチェーンを含む駆動系統とを非接触の状態とすることによって、農産物の重量をバケットと共に計測可能としている。
【０００６】
更に、本願出願人も、農産物を水平状態で搬送しながら、その搬送経路中において連続的に農産物の計量作業を可能とした農産物計量装置を開示している（特許文献４参照。）。当該農産物計量装置によると、農産物を搬送しながら、その搬送経路中において連続的に農産物の計量作業を行うことが可能であることは勿論であるが、一対の長孔の長手方向の少なくとも上側端部を先細り形状とすることによって正確な計量作業を容易に行い得ると共に、装置自体も簡易な構成であるため装置自体を安価で提供することができる。
【先行技術文献】
【特許文献】
【０００７】
【特許文献１】特開２００５−４６７９４号公報
【特許文献２】特許第３２５４０７７号公報
【特許文献３】特開２００２−１１４１３号公報
【特許文献４】特開２０１４−２０２７１９号公報
【発明の概要】
【発明が解決しようとする課題】
【０００８】
上記の各特許文献に開示された重量計測手段や農産物選別装置に係るバケットによると、農産物を搬送する過程で連続的に農産物の計量が可能となるため、計量作業を非常に効率的に行うことができる。しかしながら、特許文献１から特許文献３に開示された構成は何れも複雑であって、装置自体が非常に高価になるため、大規模な集・出荷施設などであれば導入も可能ではあるが、小規模な施設や生産者独自での導入は困難である。
【０００９】
また、搬送経路中で農産物の計量を連続的且つ正確に行うためには、農産物が載置されているバケットと駆動系統とを確実に非接触の状態とする必要がある。しかし、バケットと駆動系統との連結構造が複雑になると、計量時にバケットと駆動系統との非接触の状態を確保することが困難となる。
【００１０】
更に、農産物の選別作業自体は目視によって行われ、所定の出荷単位に箱詰めや袋詰めを行う際に所定の出荷重量で束ねる作業が必要となる場合、上記特許文献１から特許文献３に開示されているような大掛かりな装置は不要である。しかし、市販されている計量装置は搬送装置とは独立した態様のものしかなく、計量装置と搬送装置との組み合わせが複雑になると共に導入コストも高く、また計量作業自体の省力化も殆ど期待できない。従って、小規模な施設や生産者独自での導入は殆ど行われておらず、未だに手作業で一つ一つ計量しては結束するという作業が行われているのが実情である。
【００１１】
その点、特許文献４に開示された農産物計量装置によると、比較的簡易な構成であるため装置自体を安価に提供することができ、小規模な施設や生産者独自での導入も可能となり、生産現場における計量・出荷作業の省力化を図ることができる。
【００１２】
しかしながら、特許文献４に開示された農産物計量装置においても、各構成部材の加工作業が複雑であるため、製造コストの更なる低減が困難であった。また、バケットの搬送時や反転時に生じる金属音が比較的大きく、更なる静音化が求められていた。また更に、バケットの構成部材の一部を交換するといったメンテナンス作業が比較的煩雑であった。
【００１３】
そこで本願発明者は、上記の問題点に鑑み、農産物の中でも特に長尺野菜を水平状態で搬送しながら、その搬送経路中において連続的に農産物の計量作業が可能であって、且つ装置自体の静音性やメンテナンス性の向上が図られ、更なる低コスト化が図られた農産物計量装置を提供するべく鋭意検討を重ねた結果、本発明に至ったのである。
【課題を解決するための手段】
【００１４】
即ち、本発明は、農産物を載置して搬送するためのバケットがコンベアチェーンの搬送方向に所定間隔を空けて複数配設され、搬送経路中で該バケットに載置されている農産物の重量を計測するための重量計測手段を備える農産物計量装置であって、前記バケットが、農産物が載置される受皿と、該受皿の下部に所定間隔を空けて相対する状態で固着され、該受皿と共に搬送方向に対して垂直方向に上下動する一対の受皿取付部材と、該一対の受皿取付部材が各々備える開口部同士に挿通され、前記コンベアチェーンに固着される係合部材とを含んで構成され、前記開口部の少なくとも上側が略八の字形状に形成されると共に、前記係合部材の上側も略八の字形状をなすように構成され、前記開口部の上側と前記係合部材の上側を係合させた状態で前記コンベアチェーンを間欠駆動し、前記バケットが停止中に、前記開口部と前記係合部材との係合状態を解除することにより、前記農産物が載置された前記受皿及び前記一対の受皿取付部材の重量を前記重量計測手段によって計測することを特徴とする。
【００１５】
また、本発明の農産物計量装置において、前記開口部の下側も略八の字形状に形成されると共に、前記係合部材の下側も、前記開口部の下側に係合するように略八の字形状をなすように構成されていることを特徴とする。
【００１６】
更に、本発明の農産物計量装置において、一方の前記受皿取付部材の下端両側に各々突起を備え、他方の前記受皿取付部材の下端中心部に一の突起を備えることを特徴とする。
【００１７】
また、本発明の農産物計量装置において、搬送方向における前記重量計測手段の下流側に前記農産物を結束するための結束機及び／又は前記農産物の一部を切断するための切断機が設けられていることを特徴とする。
【発明の効果】
【００１８】
本発明の農産物計量装置によると、農産物を搬送しながら、その搬送経路中において連続的に農産物の計量作業を行うことが可能であることは勿論であるが、一対の受皿取付部材が備える開口部の少なくとも上側（受皿の取付側）が略八の字形状に形成されると共に、係合部材の上側（受皿の取付側）も略八の字形状をなすように構成されることによって、バケットの移動中は、一対の受皿取付部材と係合部材とが安定的に係合し、農産物の安定した搬送が可能になると共に、バケットの移動時に発生する音の静音化を図ることができる。
【００１９】
そして、バケットを停止して一対の受皿取付部材と係合部材との係合状態を解除することによって、農産物が載置された受皿及び一対の受皿取付部材の重量を重量計測手段によって正確に計測することができる。
【００２０】
また、装置自体の構成が簡素化されると共に、構成部材の加工そのものも容易となるため、メンテナンス性の向上及び装置の更なる低コスト化が図られる。
【００２１】
更に、本発明の農産物計量装置において、開口部の下側（受皿の取付側と反対側）も略八の字形状に形成されると共に、係合部材の下側（受皿の取付側と反対側）も、開口部の下側に係合するように略八の字形状をなすように構成されていることによって、バケットの反転時における移動安定性の向上、及び静音性の向上が図られる。
【００２２】
また、本発明の農産物計量装置において、一方の受皿取付部材の下端両側に各々突起を備え、他方の受皿取付部材の下端中心部に一の突起を備えることによって、重量計測手段による重量の計測時、受皿及び一対の受皿取付部材を三点で支持することができ、受皿に載置された農産物の計量を正確且つ安定的に行うことができる。
【００２３】
更にまた、本発明の農産物計量装置において、搬送方向における重量計測手段の下流側に結束機や切断機を設けることによって、計量された農産物を搬送しながら結束したり、更には不要な部分を切断したりすることが可能となり、出荷作業の更なる効率化が図られる。
【図面の簡単な説明】
【００２４】
【図１】本発明の農産物計量装置の一実施例を示した側面図である。
【図２】図１に示した農産物計量装置の平面図である。
【図３】図１に示した農産物計量装置の概略正面図である。
【図４】図１に示した農産物計量装置における重量計測手段による重量計測状態を示す概略説明図であって、（ａ）は未計量時、（ｂ）は計量時の状態を示す。
【図５】図１に示した農産物計量装置におけるバケットの反転状態を示す概略側面図である。
【発明を実施するための形態】
【００２５】
以下、本発明の農産物計量装置の実施例を、図面に基づいて説明する。なお、以下の実施例では、農産物として韮や葱などの長尺野菜を例に挙げて詳述するが、本発明の農産物計量装置で計量可能な農産物は長尺野菜に限定されるものではない。
【実施例】
【００２６】
図１から図３に示す本発明の一実施例に係る農産物計量装置１０は、長尺野菜等の農産物を水平状態で搬送しながら計量作業を連続的に行うものである。具体的には、基台１２に軸着された駆動スプロケット１４及び従動スプロケット１６に架け渡される左右一対のコンベアチェーン１８、１８の搬送方向（図１中、Ｘ方向）に、所定間隔を空けて複数のバケット２０が取付部材１９（図３参照）を介して配設されている。農産物計量装置１０に係る搬送方向の上流側（図１中左側）に位置する供給部において、このバケット２０に係る受皿２２に長尺野菜が載置され、Ｘ方向に搬送される過程で後述する重量計測手段３０によって長尺野菜の重量が計測される。なお、図中符号１１は農産物計量装置１０の制御装置である。
【００２７】
本実施例の農産物計量装置１０に係るバケット２０は、図３及び図４に示すように、長尺野菜（農産物）が載置される受皿２２と、受皿２２の下部に所定間隔を空けて相対する状態で固着され、受皿２２と共に搬送Ｘ方向に対して垂直方向に上下動する一対の受皿取付部材２６、２７と、一対の受皿取付部材２６、２７が各々備える開口部２４、２５同士に挿通され、コンベアチェーン１８、１８に取付部材１９を介して固着される係合部材２８とを含んで構成されている。
【００２８】
一対の受皿取付部材２６、２７が各々備える開口部２４、２５同士に挿通される係合部材２８は、相対する一対のスラット部材２８ａ、２８ｂと、一対のスラット部材２８ａ、２８ｂ間に配設される連結部材２８ｃとから構成され、連結部材２８ｃを横方向から挟むようにして一対のスラット部材２８ａ、２８ｂが相対してボルト２９により固定され、連結部材２８ｃの両端が取付部材１９、１９によってコンベアチェーン１８、１８に固定されている。つまり、受皿２２は一対の受皿取付部材２６、２７と共に、開口部２４、２５に沿って垂直方向に上下移動が可能な構成となっている。
【００２９】
ここで、ボルト２９による一対のスラット部材２８ａ、２８ｂの連結部材２８ｃへの固定位置は特に限定されないが、本実施例では一対の受皿取付部材２６、２７の各外側の位置で固定されると共に、開口部２４、２５よりボルト２９が突出した状態で固定されている。当該構成とすることによって、バケット２０の搬送時にボルト２９が一対の受皿取付部材２６、２７に係合するため、搬送方向に対して横方向への移動が規制され、バケット２０の安定的な搬送が可能となる。つまり、開口部２４、２５よりボルト２９を突出させ、ボルト２９によって搬送方向に対して横方向への移動を規制することができれば、ボルト２９による一対のスラット部材２８ａ、２８ｂの連結部材２８ｃへの固定位置を一対の受皿取付部材２６、２７の各内側の位置としてもよい。また、固定手段はボルト２９に限定されず、ビスやピンなどで固定すると共に、これらの一部を開口部２４、２５から突出するように構成してもよい。更には、ボルト２９やピン、ビスなど以外に別途、搬送方向に対して横方向への移動を規制するための突出部を一対のスラット部材２８ａ、２８ｂに設けてもよい。
【００３０】
なお、一対の受皿取付部材２６、２７に切り欠き部３５を形成しておくことによって、一対のスラット部材２８ａ、２８ｂを連結部材２８ｃへ固定すると共に、搬送方向に対して横方向への移動を規制するためのボルト２９やビス、ピンなどを外すことなく、受皿２２及び一対の受皿取付部材２６、２７を係合部材２８から取り外すことができ、メンテナンス性の向上が図られる。
【００３１】
そして、本実施形態に係る一対の受皿取付部材２６、２７が各々備える開口部２４、２５の少なくとも上側（受皿２２の取付側）が略八の字形状に形成されている。それと共に、係合部材２８の上側（受皿２２の取付側）、即ち一対のスラット部材２８ａ、２８ｂの上側（受皿２２の取付側）も側面視が略八の字形状をなすように構成されている。つまり、受皿２２及び一対の受皿取付部材２６、２７が下方へ移動した場合、略八の字形状に形成された開口部２４、２５の上側に、同じく略八の字形状をなすように構成された係合部材２８に係る一対のスラット部材２８ａ、２８ｂの上側がピッタリと安定的に係合することとなる。
【００３２】
なお、本実施形態に係る受皿２２は支持部材４４を備えており、受皿２２によって長尺野菜を搬送する際に、長尺野菜の根元部を安定的に支持することができる。また、後述する結束機や切断機によって根元部の出荷処理を行う際にも根元部を安定的に支持することができるため、出荷処理を効率的且つ綺麗に行うことができる。
【００３３】
そして、本実施例の農産物計量装置１０の搬送経路中に備える重量計測手段３０は、計量板３１、ロードセル３２、ロッド３３、エアシリンダ３４及び表示部３５から構成されている。ロッド３３の上下動に伴ってロードセル３２を備える計量板３１が上下動し、計量板３１が上方へ移動した際に一対の受皿取付部材２６、２７を介して受皿２２を持ち上げることによって、受皿２２に載置されている長尺野菜の重量をロードセル３２によって計測することが可能となっている。
【００３４】
以上の構成から成る本実施例の農産物計量装置１０によると、以下のような流れで長尺野菜の計量作業を行うことができる。農産物計量装置１０の搬送Ｘ方向の上流側に位置する農産物供給部においてバケット２０に係る受皿２２から支持部材４４に渡って、所定量の長尺野菜が根元部を支持部材４４側として載置される。この載置作業は作業者による手動の場合もあれば、別装置によって自動供給される場合もある。なお、ここで載置される長尺野菜の所定量とは、出荷時に要求される出荷重量に近似した量であればよく、正確な出荷重量が要求されるものではない。
【００３５】
受皿２２から支持部材４４に渡って長尺野菜が載置されたバケット２０は、コンベアチェーン１８を間欠駆動することによってＸ方向に間欠的に搬送される。コンベアチェーン１８が駆動されバケット２０が搬送されている状態では、図４（ａ）に示すように、受皿２２、一対の受皿取付部材２６、２７及び長尺野菜の重さで下方向に移動し、係合部材２８に係る略八の字形状に形成された一対のスラット部材２８ａ、２８ｂの上側（受皿２２の取付側）が、一対の受皿取付部材２６、２７に係る略八の字形状に形成された開口部２５、２５の上側（受皿２２の取付側）に安定的に係合した状態となっている。つまり、開口部２４、２５の上側が略八の字形状をなすと共に、一対のスラット部材２８ａ、２８ｂの上側も略八の字形状をなしているため、受皿２２及び一対の受皿取付部材２６、２７が下方向へ移動する際、換言すれば係合部材２８が開口部２４、２５内を上方向へ移動する際、開口部２４、２５によって一対のスラット部材２８ａ、２８ｂが案内されて、係合部材２８が開口部２４、２５の短手方向（幅方向）中央部に位置決めされることとなる。なお、重量計測手段３０に係る計量板３１は下方に待避した状態となっている。
【００３６】
そして、長尺野菜が載置されたバケット２０が重量計測手段３０の位置に到達すると、図４（ｂ）に示すように、コンベアチェーン１８が停止すると同時にロッド３３の上昇に伴ってロードセル３２を備える計量板３１が上昇し、バケット２０が備える一対の受皿取付部材２６、２７を介して受皿２２を持ち上げる。すると、係合部材２８に係る一対のスラット部材２８ａ、２８ｂと、一対の受皿取付部材２６、２７に係る開口部２４、２５の係合状態が解除され、長尺野菜が載置された受皿２２（支持部材４４を含む）及び一対の受皿取付部材２６、２７のみが計量板３１に載った状態となる。従って、予め受皿２２及び一対の受皿取付部材２６、２７の重量を把握しておくことによって、受皿２２に載置された長尺野菜の重量を計測することができる。
【００３７】
ここで、ロードセル３２による計測値は表示部３５に表示されると共に、所定の出荷重量に達しているか否かが判断される。所定の出荷重量の許容範囲に入っていれば、計量板３１は下降して、再びＸ方向へ搬送される。一方、所定の出荷重量に達していない場合や許容範囲を超えている場合は、作業者による長尺野菜の補充或いは除去作業が行われ、許容範囲に収まれば計量板３１が下降して、再びＸ方向へ搬送されることとなる。
【００３８】
重量計測手段３０によって計量された長尺野菜は、重量計測手段３０の下流側に設けられている結束機５０によって結束され、更にその下流側に設けられている切断機５２によって長尺野菜の根元部における不要な箇所が切断された後、最終の出荷工程へと送られることとなる。
【００３９】
そして、長尺野菜が取り除かれたバケット２０は搬送経路の最下流側で搬送面の反対側（下側）へと移動し、搬送経路の上流側へ戻っていく。この反対側へ移動した際、受皿２２及び一対の受皿取付部材２６、２７は自重で下方向に移動する。ここで、本実施例の一対の受皿取付部材２６、２７に係る開口部２４、２５の下側（受皿２２の取付側と反対側）も略八の字形状に形成されている。それと共に、係合部材２８の下側（受皿２２の取付側と反対側）、即ち一対のスラット部材２８ａ、２８ｂの下側（受皿２２の取付側と反対側）も側面視が略八の字形状をなすように構成されている。従って、図５に示すように、バケット２０が搬送面の反対側へ移動した際に受皿２２及び一対の受皿取付部材２６、２７が下方へ移動したとき、略八の字形状に形成された開口部２４、２５の下側に、同じく略八の字形状をなすように構成された係合部材２８に係る一対のスラット部材２８ａ、２８ｂの下側がピッタリと安定的に係合することとなる。
【００４０】
以上、本発明の一実施例に係る農産物計量装置１０について詳述したが、本実施例の農産物計量装置１０によると、農産物である長尺野菜を搬送しながら、その搬送経路中において連続的に長尺野菜の計量作業を行うことが可能である。特に、一対の受皿取付部材２６、２７が備える開口部２４、２５の上側（受皿２２の取付側）が略八の字形状に形成されると共に、係合部材２８に係る一対のスラット部材２８ａ、２８ｂの上側（受皿２２の取付側）も略八の字形状をなすように構成されることによって、バケット２０の移動中は、一対の受皿取付部材２６、２７と係合部材２８とが安定的に係合し、農産物の安定した搬送が可能になると共に、バケット２０の移動時に発生する音の静音化を図ることができる。
【００４１】
そして、バケットを停止して一対の受皿取付部材２６、２７と係合部材２８との係合状態を解除することによって、農産物が載置された受皿２２及び一対の受皿取付部材２６、２７の重量を重量計測手段３０によって正確に計測することができる。つまり、開口部２４、２５の上側が略八の字形状をなすと共に、一対のスラット部材２８ａ、２８ｂの上側も略八の字形状をなしているため、開口部２４、２５によって一対のスラット部材２８ａ、２８ｂが案内されて、係合部材２８が開口部２４、２５の短手方向（幅方向）中央部に位置決めされることとなる。従って、重量計測手段３０に係る計量板３１が一対の受皿取付部材２６、２７を持ち上げた際、確実に係合部材２８を開口部２４、２５の短手方向（幅方向）中央部に位置させることが可能となり、一対の受皿取付部材２６、２７と係合部材２８との接触を回避して、正確な重量計測が可能となる。
【００４２】
また、装置自体の構成が簡素化されると共に、一対の受皿取付部材２６、２７や係合部材２８といった構成部材の加工そのものも容易となるため、メンテナンス性の向上及び農産物計量装置１０の更なる低コスト化が図られる。
【００４３】
更に、本実施例に係る農産物計量装置１０において、開口部２４、２５の下側（受皿２２の取付側と反対側）も略八の字形状に形成すると共に、係合部材２８に係る一対のスラット部材２８ａ、２８ｂの下側（受皿２２の取付側と反対側）も、開口部２４、２５の下側に係合するように略八の字形状をなすように構成することによって、バケット２０の反転時における移動安定性の向上、及び静音性の向上が図られる。
【００４４】
また、本実施例の農産物計量装置１０に係るバケット２０が支持部材４４を含んで構成されているため、長尺野菜などであっても安定的に搬送することが可能である。
【００４５】
また、本実施例の農産物計量装置１０において、搬送方向における重量計測手段３０の下流側に結束機５０や切断機５２を設けることによって、計量された長尺野菜を搬送しながら結束し、更には不要な部分を切断することが可能となり、出荷作業の更なる効率化が図られる。
【００４６】
以上に例示した本発明の一実施例に係る農産物計量装置１０は、本発明の技術的思想を実質的に限定するものと解してはならない。例えば、本実施例の農産物計量装置１０に係る開口部２４、２５は、上側（受皿２２の取付側）及び下側（受皿２２の取付側の反対側）の両方を略八の字形状とし、係合部材２８に係る一対のスラット部材２８ａ、２８ｂも上側及び下側の両方を略八の字形状に構成したが、少なくとも開口部２４、２５の上側及び一対のスラット部材２８ａ、２８ｂを略八の字形状とすればよい。なお、両者の下側も略八の字形状とすることによって、バケット２０を搬送経路の上流側へ戻す際もバケット２０を安定的に戻すことができると共に静音性の向上を図ることができる。
【００４７】
また、本実施例の農産物計量装置１０に係る一方の受皿取付部材２６の下端両側に各々突起３６、３６を備え、他方の受皿取付部材２７の下端中心部に一の突起３７を備えることが好ましい。一対の受皿取付部材２６、２７の下端にそれぞれ突起３６、３７を設けることによって、重量計測手段３０に係る計量板３１上において、受皿２２及び一対の受皿取付部材２６、２７を三点で支持することができる。従って、重量計測手段３０に係る計量板３１や一対の受皿取付部材２６、２７などに多少のひずみや傾きがあっても、計量板３１上において受皿２２及び一対の受皿取付部材２６、２７を三点支持によって安定させることができると共に、測定値も速やかに安定するため、より正確な重量計測を迅速に行うことが可能となる。
【００４８】
更に、本実施例の農産物計量装置１０に係る係合部材２８は、一対のスラット部材２８ａ、２８ｂがボルト２９によって連結部材２８ｃを左右両側から挟むようにして固定されているが、一対のスラット部材２８ａ、２８ｂを連結部材２８ｃの上下両側から挟むようにしてボルト２９で固定してもよい。この場合、略八の字形状に形成された開口部２４、２５の上側に係合するように、少なくとも上側（受皿２２の取付側）に位置する一方のスラット部材２８ａの側面視を略八の字形状に構成することによって、バケット２０の安定的な搬送、静音性の向上、正確な重量計測が可能となる。
【００４９】
更に、本実施例の農産物計量装置１０に係る支持部材４４も、計量する農産物によっては取り外すことも可能である。また、本実施例の農産物計量装置１０に係る重量計測手段３０は一つのみに限らず複数配設されてもよく、本発明は、その要旨を逸脱しない範囲で、当業者の創意と工夫により、適宜に改良、変更又は追加をしながら実施できる。
【符号の説明】
【００５０】
１０：農産物計量装置
１１：制御装置
１２：基台
１４：駆動スプロケット
１６：従動スプロケット
１８：コンベアチェーン
１９：取付部材
２０：バケット
２２：受皿
２４、２５：開口部
２６、２７：受皿取付部材
２８：係合部材
２８ａ、２８ｂ：スラット部材
２８ｃ：連結部材
３０：重量計測手段
３１：計量板
３２：ロードセル
３３：ロッド
３４：エアシリンダ
３５：表示部
４４：支持部材
５０：結束機
５２：切断機
【図１】
0006707757.tif 000002
【図２】
0006707757.tif 000003
【図３】
0006707757.tif 000004
【図４】
0006707757.tif 000005
【図５】
0006707757.tif 000006